(57)【要約】【課題】光記録型の表示媒体へ画像を記録する記録装置を小型化すること。【解決手段】光記録型の表示媒体である電子ペーパ２００は、記録装置１００の筐体１０１の遮光領域外においては、電気調光層が遮光状態となり、筐体１０１の遮光領域内において透過状態となることにより、筐体１０１の遮光領域内においては、記録光１４１ａが表示層に照射されて画像が記録され、筐体１０１の遮光領域外においては、電気調光層によって表示層への外光の照射が妨げられ、画像が記録されない。【選択図】図４
2010181576.tif 000002
【特許請求の範囲】
【請求項１】
照射される光に応じた画像を記録し、前記画像を表示する表示層と、
前記表示層に画像を記録する光が照射される面側に設けられる調光層であって、前記光を減衰させ前記表示層への画像の記録を妨げる透過率を有し、前記調光層の一部領域に対する予め決められた処理によって、前記一部領域を透過して前記表示層に照射される光により画像が記録されるように、前記一部領域の透過率が変化する調光層と
を具備することを特徴とする光記録型表示媒体。
【請求項２】
前記調光層は、印加電圧に応じて透過率が変化する複数の領域に分割され、
前記一部領域に対する予め決められた処理は、前記領域の各々に対する電圧の印加処理である
ことを特徴とする請求項１に記載の光記録型表示媒体。
【請求項３】
前記一部領域に対する予め決められた処理は、温度を上昇させる処理である
ことを特徴とする請求項１に記載の光記録型表示媒体。
【請求項４】
前記一部領域に対する予め決められた処理は、前記表示層に対して照射される光とは波長の異なる光を照射する処理である
ことを特徴とする請求項１に記載の光記録型表示媒体。
【請求項５】
前記表示層の画像が表示される面と画像を記録する光が照射される面とは対向している
ことを特徴とする請求項１乃至請求項４のいずれかに記載の光記録型表示媒体。
【請求項６】
外光を遮光する遮光部と、
請求項１乃至請求項５のいずれかに記載の光記録型表示媒体における前記画像を記録する光が照射される記録面の一部が前記遮光部によって遮光され、前記遮光された遮光領域が前記記録面を移動するように、前記光記録型表示媒体と前記遮光部との相対位置関係を変化させる移動手段と、
前記遮光領域内の前記調光層の一部領域に対して、前記予め決められた処理を施す透過率制御手段と、
前記透過率制御手段によって透過率が変化された前記調光層の一部領域を透過して、前記表示層に対して、記録すべき画像に応じた光を照射する照射手段と
を具備することを特徴とする記録装置。
【請求項７】
照射される光に応じて記録される画像を表示する表示媒体に対して、前記光が照射される面側に重ねて用いられる調光媒体であって、前記光を減衰させ前記表示媒体への画像の記録を妨げる透過率の調光層を有し、前記調光層の一部領域に対する予め決められた処理によって、前記一部領域を透過して前記表示媒体に照射される光により画像が記録されるように、前記一部領域の透過率が変化する調光媒体と、
外光を遮光する遮光部と、
前記表示媒体が重ねられる面側と対向する前記調光媒体の面の一部の領域が前記遮光部によって遮光され、前記遮光された遮光領域が当該面を移動するように、前記表示媒体が重ねられた前記調光媒体と前記遮光部との相対位置関係を変化させる移動手段と、
前記遮光領域内の前記調光層の一部領域に対して、前記予め決められた処理を施す透過率制御手段と、
前記透過率制御手段によって透過率が変化された前記調光層の一部領域を透過して、前記表示媒体に対して、記録すべき画像に応じた光を照射する照射手段と
を具備することを特徴とする記録装置。
【発明の詳細な説明】
【技術分野】
【０００１】
本発明は、光記録型表示媒体および記録装置に関する。
【背景技術】
【０００２】
電子ペーパなどの表示媒体には、例えば、特許文献１に開示されているように、照射された記録光に応じた画像を記録し、記録された画像を表示する光記録型の表示媒体がある。記録光が照射される面全体は、他の光が照射されないように、記録光を照射する記録装置の筐体により外光が遮光される。
【先行技術文献】
【特許文献】
【０００３】
【特許文献１】特開２００７−２９８８１８号公報
【発明の概要】
【発明が解決しようとする課題】
【０００４】
本発明は、光記録型の表示媒体へ画像を記録する記録装置を小型化することを目的とする。
【課題を解決するための手段】
【０００５】
本発明の請求項１に係る光記録型表示媒体は、照射される光に応じた画像を記録し、前記画像を表示する表示層と、前記表示層に画像を記録する光が照射される面側に設けられる調光層であって、前記光を減衰させ前記表示層への画像の記録を妨げる透過率を有し、前記調光層の一部領域に対する予め決められた処理によって、前記一部領域を透過して前記表示層に照射される光により画像が記録されるように、前記一部領域の透過率が変化する調光層とを具備することを特徴とする。
【０００６】
本発明の請求項２に係る光記録型表示媒体は、請求項１の構成において、前記調光層は、印加電圧に応じて透過率が変化する複数の領域に分割され、前記一部領域に対する予め決められた処理は、前記領域の各々に対する電圧の印加処理であることを特徴とする。
【０００７】
本発明の請求項３に係る光記録型表示媒体は、請求項１の構成において、前記一部領域に対する予め決められた処理は、温度を上昇させる処理であることを特徴とする。
【０００８】
本発明の請求項４に係る光記録型表示媒体は、請求項１の構成において、前記一部領域に対する予め決められた処理は、前記表示層に対して照射される光とは波長の異なる光を照射する処理であることを特徴とする。
【０００９】
本発明の請求項５に係る光記録型表示媒体は、請求項１乃至請求項４のいずれかの構成において、前記表示層の画像が表示される面と画像を記録する光が照射される面とは対向していることを特徴とする。
【００１０】
本発明の請求項６に係る記録装置は請求項１乃至請求項５のいずれかに記載の光記録型表示媒体における前記画像を記録する光が照射される記録面の一部が前記遮光部によって遮光され、前記遮光された遮光領域が前記記録面を移動するように、前記光記録型表示媒体と前記遮光部との相対位置関係を変化させる移動手段と、前記遮光領域内の前記調光層の一部領域に対して、前記予め決められた処理を施す透過率制御手段と、前記透過率制御手段によって透過率が変化された前記調光層の一部領域を透過して、前記表示層に対して、記録すべき画像に応じた光を照射する照射手段とを具備することを特徴とする。
【００１１】
本発明の請求項７に係る記録装置は、照射される光に応じて記録される画像を表示する表示媒体に対して、前記光が照射される面側に重ねて用いられる調光媒体であって、前記光を減衰させ前記表示媒体への画像の記録を妨げる透過率の調光層を有し、前記調光層の一部領域に対する予め決められた処理によって、前記一部領域を透過して前記表示媒体に照射される光により画像が記録されるように、前記一部領域の透過率が変化する調光媒体と、外光を遮光する遮光部と、前記表示媒体が重ねられる面側と対向する前記調光媒体の面の一部の領域が前記遮光部によって遮光され、前記遮光された遮光領域が当該面を移動するように、前記表示媒体が重ねられた前記調光媒体と前記遮光部との相対位置関係を変化させる移動手段と、前記遮光領域内の前記調光層の一部領域に対して、前記予め決められた処理を施す透過率制御手段と、前記透過率制御手段によって透過率が変化された前記調光層の一部領域を透過して、前記表示媒体に対して、記録すべき画像に応じた光を照射する照射手段とを具備することを特徴とする。
【発明の効果】
【００１２】
本発明の請求項１に記載の発明によれば、光記録型の表示媒体の表示部全てを記録装置内に納める構成を用いる場合に比して、光記録型の表示媒体へ画像を記録する記録装置を小型化することができる。
本発明の請求項２に記載の発明によれば、記録装置外の表示媒体の遮光を電気制御で行うことができる。
本発明の請求項３に記載の発明によれば、記録装置外の表示媒体の遮光を温度制御で行うことができる。
本発明の請求項４に記載の発明によれば、記録装置外の表示媒体の遮光を光の制御で行うことができる。
本発明の請求項５に記載の発明によれば、同構成を有しない場合に比して、表示媒体の画像の表示面の視認性を向上させることができる。
本発明の請求項６に記載の発明によれば、光記録型の表示媒体の表示部全てを記録装置内に納める構成を用いる場合に比して、光記録型の表示媒体へ画像を記録する記録装置を小型化することができる。
本発明の請求項７に記載の発明によれば、光記録型の表示媒体の表示部全てを記録装置内に納める構成を用いる場合に比して、光記録型の表示媒体へ画像を記録する記録装置を小型化することができる。
【図面の簡単な説明】
【００１３】
【図１】第１実施形態に係る電子ペーパの外観図である。
【図２】第１実施形態に係る電子ペーパの表示領域における構成を示す図である。
【図３】第１実施形態に係る記録装置の構成を示すブロック図である。
【図４】第１実施形態に係る記録装置の外観の説明図である。
【図５】第１実施形態に係る記録装置と電子ペーパの関係を示す図である。
【図６】第２実施形態に係る電子ペーパの表示領域における構成を示す図である。
【図７】第２実施形態に係る記録装置の構成を示すブロック図である。
【図８】第２実施形態に係る記録装置の外観の説明図である。
【図９】第３実施形態に係る電子ペーパの表示領域における構成を示す図である。
【図１０】第３実施形態に係る記録装置の構成を示すブロック図である。
【図１１】第３実施形態に係る記録装置の外観の説明図である。
【図１２】変形例１に係る記録装置の外観の説明図である。
【発明を実施するための形態】
【００１４】
以下、本発明の一実施形態について説明する。
【００１５】
＜第１実施形態＞
図１は、第１実施形態に係る電子ペーパ２００の外観図である。照射される光に応じた画像を記録し、記録した画像を表示する光記録型の表示媒体である電子ペーパ２００は、記録した画像を表示する領域である表示領域２０１を有し、この例においては、表示領域２０１は、５つの領域に分割され、それぞれ、第１表示領域２０１−１、第２表示領域２０１−２、第３表示領域２０１−３、第４表示領域２０１−４、第５表示領域２０１−５という。また、電子ペーパ２００は、接地電極２２１、記録電極２６１、分割電極３４３を有している。分割電極３４３は、表示領域２０１の分割された各領域に対応して設けられた複数の電極であり、それぞれ第１分割電極３４３−１、第２分割電極３４３−２、第３分割電極３４３−３、第４分割電極３４３−４、第５分割電極３４３−５という。各電極は、この例においては、画像が表示される面（以下、表示面という）側に設けられているが、その一部または全部が表示面と対抗する面（以下、記録面という）側に設けられていてもよい。この電子ペーパ２００は、後述するように記録装置１００に搬送されるときは、図示の矢印の方向に搬送される。
【００１６】
図２は、本発明の第１実施形態に係る光記録型の表示媒体である電子ペーパ２００の表示領域２０１における構成を示す図である。電子ペーパ２００は、表示層２０００と調光層３０００とを有する。表示層２０００は、電子ペーパ２００において、照射される光に応じた画像を記録し、記録した画像を表示する機能を有する部分である。
【００１７】
表示層２０００は、透明電極２２０、２６０、光導電層２３０、着色層２４０、および液晶層２５０を有し、フィルム基板２１０、２７０間に設けられている。表示層２０００は、透明電極２２０、２６０間に予め設定された電圧（以下、記録電圧という）が印加されているときに照射された光に応じて画像が記録され、記録される画像を表示面側に表示されるようになっている。表示層２０００においては、画像の記録が複数回行えるようになっている。
【００１８】
フィルム基板２１０、２７０は、電子ペーパ２００の表示層２０００を保護するために設けられた層である。例えば、ＰＥＴ（ポリエチレンテレフタレート）である。フィルム基板２１０は画像を記録するときに光が照射される記録面側に設けられている。フィルム基板２７０は、表示面側に設けられている。透明電極２２０、２６０は、例えば、ＩＴＯ（酸化インジウム錫）を有する層である。透明電極２２０、２６０は、それぞれ図１に示す接地電極２２１、記録電極２６１と接続され、それらの電極に電圧が印加されると、透明電極２２０、２６０間に電位差が生じる。
【００１９】
光導電層２３０は、照射される光の強度に応じて光電荷が発生することにより、その導電率を異ならせる導電体を有する層である。光導電層２３０としては、例えば、有機光導電体を用いる。着色層２４０は、液晶層２５０が光を透過する場合に観察される層であり、あらかじめ決められた色（例えば、黒）になっている。液晶層２５０は、印加される電圧に応じて光の反射状態を異ならせる表示素子を含む層であって、バインダー樹脂中にマイクロカプセル状のコレステリック液晶表示素子を分散させたものである。コレステリック液晶表示素子は、配向状態として、プレーナ配向状態とフォーカルコニック配向状態とになりうる。コレステリック液晶表示素子は、プレーナ配向状態の場合は光を反射（ブラッグ反射）して、あらかじめ決められた色を呈し、フォーカルコニック配向状態にある場合は光を透過して着色層２４０の色を呈する。以上が、電子ペーパ２００の表示層２０００における構成の説明である。
【００２０】
電子ペーパ２００の調光層３０００の構成を説明する。調光層３０００は、電子ペーパ２００の表示領域２０１の一部の領域に対して、画像を記録する記録光に対する透過率を変化させる機能を有する部分である。調光層３０００は、透明電極３２０、分割透明電極３４０、電気調光層３３０を有し、フィルム基板２１０、３１０間に設けられている。分割透明電極３４０は、表示領域２０１の分割された各領域に対応して設けられた複数の電極であり、それぞれ第１分割透明電極３４０−１、第２分割透明電極３４０−２、第３分割透明電極３４０−３、第４分割透明電極３４０−４、第５分割透明電極３４０−５という。
【００２１】
フィルム基板３１０は、電子ペーパ２００の調光層３０００を保護するために設けられた層である。例えば、ＰＥＴ（ポリエチレンテレフタレート）である。フィルム基板３１０は、記録面側に設けられている。
【００２２】
透明電極３２０、分割透明電極３４０は、例えば、ＩＴＯ（酸化インジウム錫）を有する層である。透明電極３２０は、上述の透明電極２２０とともに、接地電極２２１と接続され、分割透明電極３４０の第１分割透明電極３４０−１、第２分割透明電極３４０−２、第３分割透明電極３４０−３、第４分割透明電極３４０−４、第５分割透明電極３４０−５は、それぞれ第１分割電極３４３−１、第２分割電極３４３−２、第３分割電極３４３−３、第４分割電極３４３−４、第５分割電極３４３−５と接続されている。これにより、例えば、接地電極２２１と第１分割透明電極３４０−１に電圧が印加されると、透明電極３２０、第１分割透明電極３４０−１間に電位差が生じる。
【００２３】
電気調光層３３０は、例えば、エレクトロクロミック材料から形成されている。電気調光層３３０は、電位差のない通常の状態において、光の透過率が低い状態（以下、遮光状態という）であり、予め設定された電圧（以下、調光電圧という）の電位差が生じると光の透過率が高い状態（以下、透過状態という）に変化するものである。ここで、遮光状態に対応する光の透過率が低いとは、電気調光層３３０を通過した光の強度が、表示層２０００への画像の記録を妨げる強度にまで減衰する透過率を示すものである。すなわち、表示層２０００の透明電極２２０、２６０間に記録電圧が印加されているときであっても、透過率が低い状態の電気調光層３３０を通過した光では、画像を記録するために必要な強度に達しない。
【００２４】
一方、透過状態に対応する光の透過率が高いとは、電気調光層３３０を通過した光の強度が、表示層２０００への画像の記録を行う強度を保つ透過率を示すものである。すなわち、表示層２０００の透明電極２２０、２６０間に予め設定された電圧が印加されているときに、透過率が高い状態の電気調光層３３０を通過した光により画像が記録される。
【００２５】
図３、図４を用いて、記録装置１００の構成を説明する。図３は本発明の第１実施形態に係る記録装置１００の構成を示すブロック図である。図４は第１実施形態に係る記録装置の外観の説明図である。図４（ａ）は、電子ペーパ２００を搬送する記録装置１００を側面方向から見たときの構成を説明する図であり、図４（ｂ）は、図４（ａ）の上側（電子ペーパ２００の表示面側）方向から見たときの構成を説明する図である。
【００２６】
記録装置１００は、制御部１１０、操作部１２０、搬送部１３０、光照射部１４０、表示層電圧印加部１５０、調光層電圧印加部１６０および情報取得部１９０を備える。
制御部１１０は、ＣＰＵ（Central Processing Unit）などの演算装置やメモリなどの記憶手段を備え、記録装置１００の各部の動作を制御する。操作部１２０は、操作を受け付けて、その操作に応じた信号を制御部１１０に供給する。搬送部１３０は、回転体１３１を有し、制御部１１０の制御により、回転体１３１を回転させ、その回転により記録装置１００に配置された電子ペーパ２００を搬送して、矢印方向に移動させる。
【００２７】
光照射部１４０は、複数のＬＥＤ（Light Emitting Diode）が線状に配置され画像を記録する解像度に応じた範囲に各ＬＥＤの光を収束するレンズを備えたＬＥＤアレイなどの線状の光源１４１を有し、制御部１１０の制御により、電子ペーパ２００に対して画像を記録するときに記録光１４１ａを照射する。なお、レーザ光などによりスポット状の光を走査して照射してもよい。
【００２８】
表示層電圧印加部１５０は、接地印加電極１５１、記録印加電極１５２を有し、制御部１１０の制御により、接地印加電極１５１、記録印加電極１５２間に記録電圧を発生させる。図４（ｂ）に示すように、接地印加電極１５１、記録印加電極１５２は、電子ペーパ２００の搬送中に、接地印加電極１５１と電子ペーパ２００の接地電極２２１とが電気的に接触し、また記録印加電極１５２と記録電極２６１とが電気的に接触するように設けられている。したがって、電子ペーパ２００が記録装置１００に対して搬送されている状態において、表示層電圧印加部１５０が記録電圧を発生させると、その記録電圧は、透明電極２２０、２６０間に印加される。
【００２９】
調光層電圧印加部１６０は、分割印加電極１６１を有し、制御部１１０の制御により、接地印加電極１５１、分割印加電極１６１間に調光電圧を発生させる。図４（ｂ）に示すように、接地印加電極１５１、分割印加電極１６１は、電子ペーパ２００の搬送中に、接地印加電極１５１と接地電極２２１とが電気的に接触し、また、分割印加電極１６１と分割電極３４３とが電気的に接触するように設けられている。
【００３０】
したがって、電子ペーパ２００が記録装置１００に対して搬送されている状態において、調光層電圧印加部１６０において調光電圧を発生させると、その調光電圧は、透明電極３２０、分割透明電極３４０間に印加され、調光電圧が印加された部分の電気調光層３３０が遮光状態から透過状態に変化し、記録面側から照射される記録光１４１ａが表示層２０００に到達するようになる。
【００３１】
このとき、図４（ｂ）に示すように、分割印加電極１６１は、分割電極３４３のいずれか（同図においては、第４分割電極３４３−４）と電気的に接触し、後述する図５（ａ）に示すように、分割印加電極１６１が分割電極３４３の電極境界部分に位置するときにおいては、境界部分両側の分割電極３４３（同図においては第４分割電極３４３−４および第５分割電極３４３−５）の双方に電気的に接触する。このように、分割印加電極１６１が２つの分割電極３４３と接触しているときに、光源１４１からの記録光１４１ａが、２つの分割電極３４３に対応する表示領域２０１の境界を通過する位置関係となるように、それぞれの構成が配置されている。
【００３２】
情報取得部１９０は、記録する画像を示す画像情報、記録装置１００の各部を制御する制御プログラムなどを、ハードディスクなどの記憶手段から取得または通信手段によって取得する。制御部１１０は、情報取得部１９０から供給された情報に応じて、搬送部１３０、光照射部１４０、表示層電圧印加部１５０、調光層電圧印加部１６０を制御する。
【００３３】
上述した記録装置１００の各構成の一部または全部は、筐体１０１に設けられている。筐体１０１は、搬送されている電子ペーパ２００のうち、筐体１０１内部に存在する一部の領域を外光からの光が照射されないように遮光する。例えば、図４に示す場合においては、第４表示領域２０１−４の全面が筐体１０１によって遮光され、その両側の第３表示領域２０１−３、第５表示領域２０１−５については、その一部の領域が遮光されている。このように筐体１０１によって遮光される領域を、以下、遮光領域という。そして、電子ペーパ２００が搬送されると、筐体１０１と電子ペーパ２００との相対位置関係が変化することにより、遮光領域が表示領域２０１を移動するようになっている。後述するようにして電気調光層３３０において透過状態となる一部の領域は、この遮光領域内に含まれるようになっている。なお、この例においては、電子ペーパ２００の表示面側、記録面側の双方が遮光されるように筐体１０１が構成されているが、記録面側が遮光されていれば、表示面側は遮光されていなくてもよい。
【００３４】
記録装置１００における電子ペーパ２００への画像の記録動作について、図４、図５を用いて説明する。まず、図４に示すように、電子ペーパ２００を記録装置１００に配置し、回転体１３１によって電子ペーパ２００が筐体１０１内に搬送されるようにする。操作部１２０を操作すると、制御部１１０は、情報取得部１９０に記録すべき画像を示す画像情報を取得させる。また、図４（ａ）に示すように、制御部１１０は、回転体１３１を回転させ、回転体に挟まれた電子ペーパ２００を図示矢印方向に搬送して移動させる。そして、制御部１１０は、電子ペーパ２００を搬送しながら、取得した画像情報に応じて、光照射部１４０の光源１４１から記録光１４１ａを照射させるとともに、表示層電圧印加部１５０に記録電圧を発生させ、調光層電圧印加部１６０に調光電圧を発生させる。以下、電子ペーパ２００への画像記録中における動作について、図４（ｂ）、図５（ａ）、図５（ｂ）を用いて、具体的に説明する。
【００３５】
図５は、記録装置１００が電子ペーパ２００に画像記録を行うときの記録装置１００と電子ペーパ２００との関係を説明する図である。まず、電子ペーパ２００が記録装置１００に搬送され、図４（ｂ）に示す位置に存在するときにおける状況について説明する。この時点においては、接地印加電極１５１は接地電極２２１と、記録印加電極１５２は記録電極２６１と接触し、また、分割印加電極１６１は第４分割電極３４３−４と接触している。
【００３６】
これにより、調光層電圧印加部１６０からの調光電圧は、透明電極３２０と第４分割透明電極３４０−４とを介して、筐体１０１に係る遮光領域内における電気調光層３３０の一部の領域、すなわち第４表示領域２０１−４に対応する領域に印加される。したがって、第４表示領域２０１−４に対応する領域における電気調光層３３０は透過状態となり、記録光１４１ａが表示層２０００に到達するようになる。このとき、他の第１、第２、第３、第５表示領域２０１−１、２０１−２、２０１−３、２０１−５に対応する領域の電気調光層３３０は、遮光状態となる。これにより、筐体１０１の外側、すなわち遮光領域外に対応する電気調光層３３０は、遮光状態であり、記録電圧の印加中に表示層２０００へ外光が到達することを妨げる。なお、仮に、遮光領域外の電気調光層３３０が遮光状態でなく、透過状態であるとすると、記録電圧が印加されていることにより、外光に応じた画像が電子ペーパ２００に記録されることになる。
【００３７】
回転体１３１が回転することにより、電子ペーパ２００が矢印方向に搬送されると、電子ペーパ２００に対して記録光１４１ａが照射される位置が移動し、第４表示領域２０１−４全面に画像が記録されていく。そして、図５（ａ）に示す位置に電子ペーパ２００が到達すると、分割印加電極１６１は、第４分割電極３４３−４および第５分割電極３４３−５と接触する。これにより、第４、第５表示領域２０１−４、２０１−５に対応する領域における電気調光層３３０は透過状態となる。この例においては、このように隣り合う表示領域２０１に対応する領域における電気調光層３３０が透過状態となっているときに、図示のように記録光１４１ａが第４表示領域２０１−４と第５表示領域２０１−５との境界部分に照射される構成とする。
【００３８】
さらに回転体１３１が回転することにより、電子ペーパ２００が矢印方向に搬送されると、第５表示領域２０１−５に対応する電気調光層３３０は透過状態のままとなり、第４表示領域２０１−４に対応する電気調光層３３０は、筐体１０１に係る遮光領域外に移動する前に遮光状態に変化する（図５（ｂ）参照）。そして、電子ペーパ２００が搬送されて移動することにより、電子ペーパ２００に対して記録光１４１ａが照射される位置が移動し、第５表示領域２０１−５全面に画像が記録されていく。そして、第１表示領域２０１−１から第５表示領域２０１−５までの記録光１４１ａの照射が終了すると、制御部１１０は、搬送部１３０を制御して、電子ペーパ２００を排出し、画像の記録を終了する。
【００３９】
このように、第１実施形態に係る電子ペーパ２００は、筐体１０１の遮光領域外においては、電気調光層３３０が遮光状態となり、筐体１０１の遮光領域内において透過状態となることにより、筐体１０１の遮光領域内においては、記録光１４１ａが表示層２０００に照射されて画像が記録され、筐体１０１の遮光領域外においては、電気調光層３３０によって表示層２０００への外光の照射が妨げられ、画像が記録されない。
【００４０】
＜第２実施形態＞
第１実施形態に係る調光層３０００は、電気調光層３３０を用いているが、第２実施形態においては、記録光１４１ａとは異なる波長の光の照射で透過率が変化するフォトクロミック材料などにより形成された光調光層３３２を用いた構成について説明する。
【００４１】
図６は、本発明の第２実施形態に係る光記録型の表示媒体である電子ペーパ２００Ａの表示領域２０１における構成を示す図である。第１実施形態における説明と符号が同じものについては、第１実施形態と同じ構成であるから説明を省略する。
【００４２】
光調光層３３２は、フォトクロミック材料などにより形成され、記録光１４１ａとは異なる波長の光、この例においては予め設定された強度の紫外光が照射されると、遮光状態から透過状態へ変化する。紫外吸収層３５０は、紫外光を吸収する層であって、光調光層３３２より光導電層２３０側に設けられる。なお、光導電層２３０において、光調光層３３２を透過する紫外光の感度が低いなど、画像の記録への影響を与えない場合には、紫外吸収層３５０は無くてもよい。
【００４３】
図７は、第２実施形態に係る記録装置１００Ａの構成を示すブロック図である。第１実施形態における説明と符号が同じものについては、第１実施形態と同じ構成であるから説明を省略する。紫外発光部１７０は、紫外光源１７１を有し、図８に示すように電子ペーパ２００Ａの光調光層３３２に対して、紫外光源１７１から紫外光１７１ａを照射する。この例においては、図８（ａ）に示すように複数の紫外光源１７１を設けることにより、光調光層３３２に照射される紫外光１７１ａの強度を高める。
【００４４】
図８は、第２実施形態に係る記録装置１００Ａの外観の説明図であって、第１実施形態における図４に対応する。紫外光１７１ａは、筐体１０１の遮光領域内であって、記録光１４１ａが照射される領域より広い範囲（図８（ｂ）における紫外光照射領域１７２）の光調光層３３２を透過状態にするように制御部１１０の制御により照射される。そのため、紫外光照射領域１７２においては、記録光１４１ａが光調光層３３２を透過するが、それ以外の領域においては、光調光層３３２は遮光状態であり、筐体１０１の遮光領域外であっても外光が光導電層２３０に照射されることを妨げることになる。そして、電子ペーパ２００Ａが搬送され、移動していくと、表示領域２０１Ａ全面に記録光１４１ａにより画像の記録が行われることになる。
【００４５】
＜第３実施形態＞
第１実施形態に係る調光層３０００は、電気調光層３３０を用いているが、第３実施形態においては、熱により透過率が変化するサーモクロミック材料などにより形成された熱調光層３３４を用いた構成について説明する。
【００４６】
図９は、本発明の第３実施形態に係る光記録型の表示媒体である電子ペーパ２００Ｂの表示領域２０１における構成を示す図である。第１実施形態における説明と符号が同じものについては、第１実施形態と同じ構成であるから説明を省略する。
【００４７】
熱調光層３３４は、サーモクロミック材料などにより形成され、予め設定された温度に過熱されると、遮光状態から透過状態へ変化する。
【００４８】
図１０は、第２実施形態に係る記録装置１００Ｂの構成を示すブロック図である。第１実施形態における説明と符号が同じものについては、第１実施形態と同じ構成であるから説明を省略する。加熱部１８０は、冷却体１８１、加熱体１８２を有し、制御部１１０の制御により、電子ペーパ２００Ｂの熱調光層３３４に対して、それぞれ加熱、冷却を行う。これは、ペルチェ素子などを用いて、冷却体１８１の熱を加熱体１８２へ移動させるようにしてもよい。なお、加熱体１８２によって加熱されて透過状態となった熱調光層３３４の一部領域が、電子ペーパ２００Ｂが搬送されて遮光領域外に移動するまえに、遮光状態となるまで自然冷却される場合には、冷却体１８１は用いなくてもよい。
【００４９】
図１１は、第３実施形態に係る記録装置１００Ｂの外観の説明図であって、第１実施形態における図４に対応する。制御部１１０は、加熱部１８０を制御し、搬送される電子ペーパ２００Ｂの加熱体１８２により電子ペーパ２００Ｂの熱調光層３３４を加熱し、加熱された熱調光層３３４が、記録光１４１ａの照射される領域を通過するまで、透過状態となるようにする。一方、冷却体１８１は、熱調光層３３４を冷却し、筐体１０１の遮光領域外の熱調光層３３４が遮光状態になるようにし、外光が光導電層２３０に照射されることを妨げることになる。そして、電子ペーパ２００Ｂが搬送され、移動していくと、表示領域２０１Ｂ全面に記録光１４１ａにより画像の記録が行われることになる。
【００５０】
以上、本発明の実施形態について説明したが、本発明は以下のように、さまざまな形態で実施可能である。
【００５１】
＜変形例１＞
上述した第１実施形態においては、電子ペーパ２００は、表示層２０００と調光層３０００とを有していたが、それぞれの機能を分離して、独立した媒体としてもよい。図１２に示すように、例えば、表示層２０００の機能を有する電子ペーパ２００１と、調光層３０００の機能を有する調光媒体３００１とに分離すればよい。
【００５２】
図１２は、変形例１に係る記録装置の外観の説明図である。図示のように電子ペーパ２００１を記録装置１００に搬送させるときには、電子ペーパ２００１に調光媒体３００１が重ねて用いられる。このとき、第１実施形態における分割電極３４３は、調光媒体３００１の電子ペーパ２００１と重なる面とは対抗する面（記録面側）に設けられるようにして、図示のように、分割印加電極１６１を、接地印加電極１５１が接触する電子ペーパ２００１の面とは反対の面側に設けるようにすればよい。
【００５３】
なお、第２、第３実施形態についても、本変形例を適用してもよく、その場合には、調光媒体３００１については、それぞれ、光調光層３３２、熱調光層３３４の機能を有するものとすればよい。
【００５４】
＜変形例２＞
上述した第１実施形態において、電子ペーパ２００を移動させることにより、記録光１４１ａが照射される位置を移動させていたが、各表示領域２０１が遮光領域内において停止するようにし、光源１４１を移動させて記録光１４１ａを照射してもよい。例えば、第１表示領域２０１−１が遮光領域内に位置し、それに対応する電気調光層３３０が透過状態にあるときには、電子ペーパ２００の移動を停止させたまま、第１表示領域２０１−１に対応する領域を、記録光１４１ａを走査して照射するようにすればよい。そして各表示領域２０１について、この処理を繰り返せばよい。なお、走査して照射するのではなく、面状の光源を用いて、第１表示領域２０１−１全体に記録光１４１ａが照射されるようにしてもよい。
【００５５】
＜変形例３＞
上述した各実施形態において、回転体１３１を導電体で形成し、接地印加電極１５１、記録印加電極１５２、分割印加電極１６１の各電極として用いて、電子ペーパ２００、２２０Ａ、２００Ｂを搬送する機能と記録電圧、調光電圧を印加する機能を共通化した構成としてもよい。
【００５６】
＜変形例４＞
上述した実施形態において、電子ペーパ２００、２００Ａ、２００Ｂは、フィルム基板２１０を用いない構成であってもよい。この場合、第１実施形態においては、表示層２０００の透明電極２２０と、調光層３０００の透明電極３２０とはともに接地電極２２１に接続されているから、透明電極２２０、３２０を共通化して一の透明電極とする構成としてもよい。
【００５７】
＜変形例５＞
上述した実施形態において、透明電極３２０と分割透明電極３４０との位置関係は逆であってもよい。フィルム基板２１０、分割透明電極３４０、電気調光層３３０、透明電極３２０、フィルム基板３１０の順に層が形成されてもよい。
【００５８】
＜変形例６＞
上述した実施形態においては、固定されている記録装置１００が電子ペーパ２００を搬送して移動することにより、筐体１０１と電子ペーパ２００との相対位置関係が変化して、遮光領域が表示領域２０１を移動するようになっているが、固定されている電子ペーパ２００に対して、記録装置１００が移動することにより、筐体１０１と電子ペーパ２００との相対位置関係が変化するようにしてもよい。
【００５９】
＜変形例７＞
上述した第１実施形態において、電子ペーパ２００は、表示面と記録面が共通の面であってもよい。この場合は、表示面側に調光層３０００が位置することになる。したがって、表示層２０００は、可視光以外の波長の記録光１４１ａにより画像が記録されるものとし、電気調光層３３０の遮光状態とは、記録光１４１ａに対しての遮光であり、可視光を透過する構成とし、表示面に表示される画像を視認するようにする。
【符号の説明】
【００６０】
１００，１００Ａ，１００Ｂ…記録装置、１０１…筐体、１１０…制御部、１２０…操作部、１３０…搬送部、１３１…回転体、１４０…光照射部、１４１…光源、１４１ａ…記録光、１５０…表示層電圧印加部、１５１…接地印加電極、１５２…記録印加電極、１６０…調光層電圧印加部、１６１…分割印加電極、１７０…紫外発光部、１７１…紫外光源、１７１ａ…紫外光、１７２…紫外光照射領域、１８０…加熱部、１８１…冷却体、１８２…加熱体、２００，２００Ａ，２００Ｂ，２００１…電子ペーパ、２０１，２０１Ａ，２０１Ｂ…表示領域、２０１−１…第１表示領域、２０１−２…第２表示領域、２０１−３…第３表示領域、２０１−４…第４表示領域、２０１−５…第５表示領域、２１０，２７０，３１０…フィルム基板、２２０，２６０，３２０…透明電極、２３０…光導電層、２４０…着色層、２５０…液晶層、２２１…接地電極、２６１…記録電極、３３０…電気調光層、３３２…光調光層、３３４…熱調光層、３４０…分割透明電極、３４０−１…第１分割透明電極、３４０−２…第２分割透明電極、３４０−３…第３分割透明電極、３４０−４…第４分割透明電極、３４０−５…第５分割透明電極、３４３…分割電極、３４３−１…第１分割電極、３４３−２…第２分割電極、３４３−２…第２分割電極、３４３−３…第３分割電極、３４３−４…第４分割電極、３４３−５…第５分割電極、２０００…表示層、３０００…調光層、３００１…調光媒体
【図１】
2010181576.tif 000003
【図２】
2010181576.tif 000004
【図３】
2010181576.tif 000005
【図４】
2010181576.tif 000006
【図５】
2010181576.tif 000007
【図６】
2010181576.tif 000008
【図７】
2010181576.tif 000009
【図８】
2010181576.tif 000010
【図９】
2010181576.tif 000011
【図１０】
2010181576.tif 000012
【図１１】
2010181576.tif 000013
【図１２】
2010181576.tif 000014